【手続補正書】
【提出日】平成23年5月10日(2011.5.10)
【手続補正１】
【補正対象書類名】特許請求の範囲
【補正対象項目名】全文
【補正方法】変更
【補正の内容】
【特許請求の範囲】
【請求項１】
遊技球が第１図柄始動口に入球するタイミングに応じて当否を抽選し、
図柄を予め決定された変動時間に従って変動表示後に、当否の結果に応じた第１特別図柄を確定表示し、
当り乱数を取得した場合には特別図柄表示装置に特定図柄を表示すると共に、大入賞口の開放を所定回数繰り返す第１大当り遊技を実行する第１遊技と、
遊技球が第２特別図柄始動口に入球するタイミングに応じて当否を抽選し、
図柄を予め決定された変動時間に従って変動表示後に、当否の結果に応じた第２特別図柄を確定表示し、
当り乱数を取得した場合には特別図柄表示装置に特定図柄を表示すると共に、前記大入賞口の開放を所定回数繰り返す第２大当り遊技を実行する第２遊技と、
前記特別図柄表示装置とは別体に設けられた疑似図柄用表示装置と
を備え、
前記第１特別図柄と前記第２特別図柄は、一方が作動している時に他方は作動を行わず、
前記疑似図柄用表示装置は、背景表示と、前記第１特別図柄と前記第２特別図柄とで共用する1つの疑似図柄を表示する構成であり、
前記疑似図柄は、
前記第１特別図柄の前記変動時間、または前記第２特別図柄の前記変動時間に対応して変動表示を行うと共に、
前記第１特別図柄、または前記第２特別図柄の確定表示に対応して当否の結果を擬似的に表示し、
更に、前記第１特別図柄と前記第２特別図柄のいずれに対応しているかを前記背景表示により識別させる
ことを特徴とする弾球遊技機。
【請求項２】
前記背景表示は、
異なるモチーフのモードを複数備え、所定起因により切り替え表示を行う
ことを特徴とする請求項１記載の弾球遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
前記課題を解決するため請求項１に記載の発明は、遊技球が第１図柄始動口に入球するタイミングに応じて当否を抽選し、
図柄を予め決定された変動時間に従って変動表示後に、当否の結果に応じた第１特別図柄を確定表示し、
当り乱数を取得した場合には特別図柄表示装置に特定図柄を表示すると共に、大入賞口の開放を所定回数繰り返す第１大当り遊技を実行する第１遊技と、
遊技球が第２特別図柄始動口に入球するタイミングに応じて当否を抽選し、
図柄を予め決定された変動時間に従って変動表示後に、当否の結果に応じた第２特別図柄を確定表示し、
当り乱数を取得した場合には特別図柄表示装置に特定図柄を表示すると共に、前記大入賞口の開放を所定回数繰り返す第２大当り遊技を実行する第２遊技と、
前記特別図柄表示装置とは別体に設けられた疑似図柄用表示装置と
を備え、
前記第１特別図柄と前記第２特別図柄は、一方が作動している時に他方は作動を行わず、
前記疑似図柄用表示装置は、背景表示と、前記第１特別図柄と前記第２特別図柄とで共用する1つの疑似図柄を表示する構成であり、
前記疑似図柄は、
前記第１特別図柄の前記変動時間、または前記第２特別図柄の前記変動時間に対応して変動表示を行うと共に、
前記第１特別図柄、または前記第２特別図柄の確定表示に対応して当否の結果を擬似的に表示し、
更に、前記第１特別図柄と前記第２特別図柄のいずれに対応しているかを前記背景表示により識別させる
ことを特徴とする遊技機である。
【手続補正４】
【補正対象書類名】明細書
【補正対象項目名】０００９
【補正方法】変更
【補正の内容】
【０００９】
本発明は、２つの本図柄に対し、１つの擬似図柄で対応させることにある。
【手続補正５】
【補正対象書類名】明細書
【補正対象項目名】００１０
【補正方法】変更
【補正の内容】
【００１０】
請求項２に記載の発明は、前記背景表示は、
異なるモチーフのモードを複数備え、所定起因により切り替え表示を行う
ことを特徴とする請求項１記載の弾球遊技機である。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
請求項１記載の発明によれば、２つの遊技装置で各々の抽選を行いながらも、遊技者は１つの共用の擬似図柄の変動態様を見ていれば良いため、疲労しにくい。「特別図柄」は変動開始前と変動停止時の図柄の態様が同一でなければならず、また、表示位置についても同一でなければならないため、表示演出上ある程度、制限があるが、擬似図柄の活用範囲の拡大により解消することができる。「擬似図柄」は、図柄を表示するものの、実際は「背景」の一部として表示されている。そのため「特別図柄」のような制限がない。よって、複数のモードを備えて、所定起因により切り替えて表示していくことができる。また、擬似図柄自体に通常確率状態と確率変動状態の識別力を持たせることも持たせないことも自由であるが、その識別力を備えないようにする場合、あたかも大当り終了後に確率変動の抽選を行うような演出などができるようになる。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項２記載の発明によれば、疑似図柄は、図柄を表示するものの実際は背景の一部として表示されている。そのため特別図柄のような制限がない。よって、複数のモードを備えて、例えば海モード（海をモチーフにした背景、魚を模した図柄の形態）、山モード（山をモチーフにした背景、獣をもした図柄の形態、を備える）を、所定起因により切り替えて表示していくことができる。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】